(57)【要約】【課題】コルゲートチューブの端部を拡開させる治具としてもその拡開形状を保持可能なカバー部材としても機能し得るコルゲートチューブ拡開具を提供し、端部近傍での電線保護機能の低下を低コストに防止できるワイヤーハーネスを提供する。【解決手段】スリット２１を形成するコルゲートチューブ１２の一対の内側縁部１２ｂ、１２ｃを周方向に離間させるよう、コルゲートチューブ１２に挿入されるとき、一対の内側縁部１２ｂ、１２ｃに係合する一対の係合部４１、４２と、一対の係合部４１、４２を連結しつつスリット２１を閉塞するようコルゲートチューブ１２の外周の一部を覆うカバー部４３と、一対の係合部４１、４２が一対の内側縁部１２ｂ、１２ｃを離間させるとき、一対の係合部４１、４２の挿入深さを保持するようコルゲートチューブ１２の外周の環状凸部１２ｐおよび環状凹部１２ｑに係止される係止爪部４４とを備える。【選択図】図１
2016144363.tif 000002
【特許請求の範囲】
【請求項１】
少なくとも軸方向の一端部の近傍に前記軸方向に延びるスリットが形成されたコルゲートチューブを前記一端部の近傍で拡開させるコルゲートチューブ拡開具であって、
前記スリットを形成しつつ周方向に対向する前記コルゲートチューブの一対の内側縁部を前記周方向に離間させるよう、前記コルゲートチューブに対して前記一端側から挿入されるとき、前記一対の内側縁部に係合する一対の係合部と、
前記一対の係合部を連結するとともに前記スリットを閉塞するよう前記コルゲートチューブの外周の一部を覆うカバー部と、
前記一対の係合部より前記コルゲートチューブの他端側で前記カバー部に支持され、前記一対の係合部が前記コルゲートチューブの前記一対の内側縁部を離間させるとき、前記一端側からの前記一対の係合部の挿入深さを保持するよう前記コルゲートチューブの外周の凹凸部に軸方向一体に係止される係止爪部と、を備えたことを特徴とするコルゲートチューブ拡開具。
【請求項２】
前記一対の係合部は、前記一対の内側縁部に対し前記コルゲートチューブの径方向の一方側に位置する第１ガイド面と、前記一対の内側縁部に対し前記コルゲートチューブの径方向の他方側に位置する第２ガイド面と、前記一対の係合部の挿入方向の先端側で前記周方向の離間距離が小さくなるよう略Ｖ字形状に配置された第３ガイド面とを有していることを特徴とする請求項１に記載のコルゲートチューブ拡開具。
【請求項３】
請求項１または請求項２に記載されたコルゲートチューブ拡開具が前記コルゲートチューブに対して前記一端側から挿入され、前記係止爪部で前記コルゲートチューブに対し抜け止め係止されていることを特徴とするワイヤーハーネス。
【発明の詳細な説明】
【技術分野】
【０００１】
本発明は、コルゲートチューブ拡開具およびワイヤーハーネスに関し、特に樹脂製のコルゲートチューブのスリット部に係合してコルゲートチューブを部分的に拡開させるコルゲートチューブ拡開具およびそれを装着したおよびワイヤーハーネスに関する。
【背景技術】
【０００２】
自動車用のワイヤーハーネスにおいては、複数の電線を保護しつつそれら電線群を配索経路に沿って案内する外装部品として樹脂製のコルゲートチューブが多用されている。
【０００３】
コルゲートチューブを装着した従来のワイヤーハーネスとして、例えばコルゲートチューブの軸方向に延びるスリット（切込みを含む）を形成し、そのスリットを部分的に周方向に拡開する治具により電線の挿入口を広げるようにして、電線挿通作業の容易化を図ったものが知られている（例えば、特許文献１参照）。
【０００４】
また、縦方向のスリットを形成する場合に生じる不要なスリット開きや異音等といった不具合に対して、スリット内に差し込まれる差込部とその差込部から外方側に延びる一対のつば部とを有するカバー部材を装着したコルゲートチューブが知られている（例えば、特許文献２参照）。
【０００５】
このカバー部材付のコルゲートチューブでは、スリットを形成しつつ対向する一対の凹凸横断面の内側縁部（以下、両内側縁部）が擦れ合うことがなく、スリットが多少開いてもカバー部材のつば部で覆われているので、電線の保護および案内の機能が担保される。
【先行技術文献】
【特許文献】
【０００６】
【特許文献１】特開平１０−１２６９１６号公報
【特許文献２】特開２０１０−１７８４８０号公報
【発明の概要】
【発明が解決しようとする課題】
【０００７】
しかしながら、上述のような従来のワイヤーハーネスにあっては、電線群を通すために拡開したコルゲートチューブの拡開部分を電線挿通後には拡開前の径に戻していたため、電線群の端部に幅広のコネクタが装着される場合のように電線群の端部が径方向に広がる場合、電線群のうちコネクタの両端側の電線に過度な締付け力や張力が作用し易くなり、それを回避すべく、コルゲートチューブの端部からコネクタまでの電線露出長さを大きくするか、大径のコルゲートチューブを使用する必要があった。
【０００８】
そのため、コルゲートチューブの端部から出る露出電線が長くなって十分な電線保護機能が得られなくなり、あるいは、露出電線を保護する別の外装部品を追加したりコルゲートチューブ系を大径にしたりすることに起因するコスト高を招いてしまうという未解決の課題があった。
【０００９】
また、従来のコルゲートチューブ拡開治具は、コルゲートチューブの端部を拡開させる状態でコルゲートチューブに装着されるようなものではなく、一方、コルゲートチューブに装着される従来のカバー部材は、コルゲートチューブの一部を安定した拡開形状に保持させ得るようなものではなかった。
【００１０】
本発明は、このような従来の課題に鑑みてなされたものであり、コルゲートチューブの端部を拡開させる治具としてもその拡開形状を保持可能なカバー部材としても機能し得るコルゲートチューブ拡開具を提供し、併せて、そのコルゲートチューブ拡開具を装着することでコルゲートチューブの端部近傍における電線保護機能の低下を低コストに防止できるワイヤーハーネスを提供することを目的とするものである。
【課題を解決するための手段】
【００１１】
本発明に係るコルゲートチューブ拡開具は、上記目的達成のため、少なくとも軸方向の一端部の近傍に前記軸方向に延びるスリットが形成されたコルゲートチューブを前記一端部の近傍で拡開させるコルゲートチューブ拡開具であって、前記スリットを形成しつつ周方向に対向する前記コルゲートチューブの一対の内側縁部を前記周方向に離間させるよう、前記コルゲートチューブに対して前記一端側から挿入されるとき、前記一対の内側縁部に係合する一対の係合部と、前記一対の係合部を連結するとともに前記スリットを閉塞するよう前記コルゲートチューブの外周の一部を覆うカバー部と、前記一対の係合部より前記コルゲートチューブの他端側で前記カバー部に支持され、前記一対の係合部が前記コルゲートチューブの前記一対の内側縁部を離間させるとき、前記一端側からの前記一対の係合部の挿入深さを保持するよう前記コルゲートチューブの外周の凹凸部に軸方向一体に係止される係止爪部と、を備えたことを特徴とする。
【００１２】
この構成により、本発明のコルゲートチューブ拡開具では、一対の係合部がコルゲートチューブの一対の内側縁部を離間させるようにそのチューブの一端側から挿入されるとき、その一対の係合部の挿入深さを保持するようコルゲートチューブの外周の凹凸部に係止爪部が係止される。したがって、このコルゲートチューブ拡開具は、コルゲートチューブの端部を拡開させる治具としても使用できるし、その拡開形状を保持するカバー部材としても機能できるものとなる。その結果、このコルゲートチューブ拡開具をカバー部材として装着することで、コルゲートチューブの端部近傍で電線群が径方向に大きくなる場合でも、他の部分の電線群の太さに応じた比較的小径のコルゲートチューブを使用しながら、コルゲートチューブの端部近傍における電線保護機能の低下を低コストに防止できるワイヤーハーネスが実現可能となる。
【００１３】
本発明のコルゲートチューブ拡開具において、前記一対の係合部は、前記一対の内側縁部に対し前記コルゲートチューブの径方向の一方側に位置する第１ガイド面と、前記一対の内側縁部に対し前記コルゲートチューブの径方向の他方側に位置する第２ガイド面と、前記一対の係合部の挿入方向の先端側で前記周方向の離間距離が小さくなるよう略Ｖ字形状に配置された第３ガイド面とを有しているとよい。
【００１４】
この構成により、コルゲートチューブの端部を拡開させるコルゲートチューブ拡開具が、コルゲートチューブの端部近傍における一対の内側縁部に対し軸方向に移動可能でかつ径方向には移動を規制される。したがって、カバー部に支持される係止爪部がコルゲートチューブの外周の凹凸部に軸方向一体に係止されるとき、コルゲートチューブ拡開具がコルゲートチューブに対し一体的に保持される状態で、拡開したスリットがコルゲートチューブ拡開具によって閉塞されることとなる。よって、コルゲートチューブ拡開具のコルゲートチューブへの装着姿勢が安定保持可能となる。
【００１５】
本発明に係るワイヤーハーネスは、上記いずれかの構成を有するコルゲートチューブ拡開具が前記コルゲートチューブに対して前記一端側から挿入され、前記係止爪部で前記コルゲートチューブに対し抜け止め係止されているものである。
【００１６】
したがって、本発明では、コルゲートチューブ拡開具をカバー部材として装着することで、コルゲートチューブの端部近傍における電線保護機能の低下を低コストに防止することができるワイヤーハーネスとなる。
【発明の効果】
【００１７】
本発明によれば、コルゲートチューブの端部を拡開させる治具としても、その拡開形状を保持可能なカバー部材としても機能し得るコルゲートチューブ拡開具を提供することができ、併せて、その装着により、コルゲートチューブの端部近傍における電線保護機能の低下を低コストに防止できるワイヤーハーネスを提供することができる。
【図面の簡単な説明】
【００１８】
【図１】本発明の一実施の形態に係るコルゲートチューブ拡開具を装着したワイヤーハーネスの要部正面図である。
【図２】本発明の一実施の形態に係るコルゲートチューブ拡開具をスリット付のコルゲートチューブの端部に挿入する方向を示す斜視図である。
【図３】本発明の一実施の形態に係るコルゲートチューブ拡開具を装着したワイヤーハーネスの要部斜視図である。
【図４】本発明の一実施の形態に係るコルゲートチューブ拡開具の要部斜視図である。
【図５】（ａ）は、図４のＡ−Ａ矢視断面図であり、（ｂ）は、図４のＢ−Ｂ矢視断面図である。
【発明を実施するための形態】
【００１９】
以下、本発明を実施するための形態について図面を参照して説明する。
【００２０】
図１ないし図５に、本発明に係るコルゲートチューブ拡開具およびそれを装着したワイヤーハーネスの一実施の形態を示している。本実施形態のワイヤーハーネスは、自動車用ワイヤーハーネスの電線群の一部区間にコルゲートチューブを外装したもので、その電線群の特定の端末部に近いコルゲートチューブの一端部近傍に、コルゲートチューブ拡開具が装着されている。
【００２１】
図１に示すように、本実施形態のワイヤーハーネス１０は、複数の絶縁被覆電線１１ｅを含む電線群１１と、電線群１１を取り囲む可撓性のコルゲートチューブ１２と、電線群１１の一端部１１ａに装着された幅広のコネクタ部材１３と、コネクタ部材１３に近接するコルゲートチューブ１２の一端部近傍に装着されたコルゲートチューブ拡開具１４とを含んで構成されている。
【００２２】
電線群１１の各絶縁被覆電線１１ｅは、詳細を図示しないが、中心部の線状の導体と、その導体を同心的に取り囲む被覆とを有している。導体は、例えば複数本の軟銅線を撚り合わせた円形より線からなり、被覆は、例えば塩化ビニル樹脂を主体とする樹脂製のチューブで構成されている。
【００２３】
コルゲートチューブ１２は、電気絶縁性、耐熱性、耐水性、耐薬品性等に優れたポリプロピレンやナイロン樹脂等の絶縁性の樹脂からなる可撓性の蛇腹管であり、その外周壁面１２ｅが波形の縦断面形状をなすよう複数の環状凸部１２ｐおよび環状凹部１２ｑを交互に連設した形状をなしている。
【００２４】
図２に示すように、コルゲートチューブ１２は、少なくとも軸線方向における一端部１２ａの近傍の拡開領域Ｚａ内に、外周壁面１２ｅを周方向の特定箇所で切断しつつ軸線方向に延びるスリット２１を有している。
【００２５】
このスリット２１は、例えばワイヤーハーネス１０の特定外装区間を覆う所定長さのコルゲートチューブ１２の全長にわたって形成されている。そして、コルゲートチューブ１２の拡開領域Ｚａ内のスリット２１を拡開させることで、コルゲートチューブ１２の拡径領域Ｚａにおける管径（非拡径時の呼び径もしくは内径）を拡大させることができるようになっている。
【００２６】
コネクタ部材１３は、電線群１１の一端部１１ａ側で複数の絶縁被覆電線１１ｅにそれぞれ図示しない複数の導体金属製の接続端子を圧着してコネクタハウジング内に差し込んだ公知のものである。
【００２７】
そして、電線群１１の一端部１１ａにおける複数の絶縁被覆電線１１ｅの離間距離は、複数の絶縁被覆電線１１ｅのコネクタ部材１３への差込み位置に応じて、コルゲートチューブ１２の管径を超える程度に、コネクタ部材１３の幅方向（図１中の左右方向）に大きくなっている。
【００２８】
コルゲートチューブ拡開具１４は、コルゲートチューブ１２の一端部１２ａの近傍で、スリット２１を周方向に拡開させるようにコルゲートチューブ１２に装着された、いわゆるワイドナーである。
【００２９】
コルゲートチューブ拡開具１４は、スリット２１を形成しつつ周方向に対向するコルゲートチューブ１２の一対の内側縁部１２ｂ、１２ｃを周方向に離間させるように、コルゲートチューブ１２のスリット２１に対して一端部１２ａ側から軸方向に挿入されている。
【００３０】
このコルゲートチューブ拡開具１４は、一対のレール上の係合部４１、４２と、カバー部４３と、係止爪部４４とを一体成形した樹脂部品で構成されている。
【００３１】
具体的には、一対の係合部４１、４２は、それぞれコルゲートチューブ１２の一対の内側縁部１２ｂ、１２ｃに向って開く凹状の横段面形状のレール状をなすとともに、コルゲートチューブ１２への挿入方向の先端側で鋭角をなす略Ｖ字形をなしている。そして、一対の係合部４１、４２は、コルゲートチューブ１２のスリット２１に一端部１２ａ側から挿入されるとき、一対の内側縁部１２ｂ、１２ｃにスライド可能に係合するようになっている。
【００３２】
カバー部４３は、一対の係合部４１、４２を一体に連結するとともに、スリット２１をコルゲートチューブ１２の外周側から閉塞するようにコルゲートチューブ１２の外周の一部を覆う略三角形のカバー形状をなしている。
【００３３】
また、カバー部４３は、一対の係合部４１、４２の挿入方向先端部付近から係止爪部４４側に延び略一定板幅の撓み板部４３ａを有しており、一対の係合部４１、４２よりコルゲートチューブ１２の他端側（図１中の下側）で係止爪部４４を支持している。
【００３４】
係止爪部４４は、カバー部４３の撓み板部４３ａに支持されることで、一対の係合部４１、４２がコルゲートチューブ１２のスリット２１内に挿入されるとき、コルゲートチューブ１２の外周の環状凸部１２ｐを乗り越えるように撓み板部４３ａを半径方向の外方側に撓ませる一方、図３中に部分拡大図で示すように、撓み板部４３ａの弾性回復に伴って環状凹部１２ｑ内に落ち込むことができるようになっている。
【００３５】
そして、コルゲートチューブ拡開具１４の挿入方向におけるカバー部４３の後端がコルゲートチューブ１２の一端部１２ａの端面１２ｄの近傍に達するとともに、一対の係合部４１、４２がコルゲートチューブ１２の一対の内側縁部１２ｂ、１２ｃを周方向に略Ｖ字形に離間させるとき、係止爪部４４が、コルゲートチューブ１２一端部１２ａ側からの一対の係合部４１、４２の挿入深さを保持するよう、コルゲートチューブ１２の外周の環状凸部１２ｐおよび環状凹部１２ｑに対し軸方向一体に係止され、抜け止めされるようになっている。
【００３６】
図４および図５に示すように、一対の係合部４１、４２は、コルゲートチューブ１２の一対の内側縁部１２ｂ、１２ｃに対してコルゲートチューブ１２の径方向の内方側（一方側）に位置する第１ガイド面４１ａ、４２ａと、一対の内側縁部１２ｂ、１２ｃに対しコルゲートチューブ１２の径方向の外方側（他方側）に位置する第２ガイド面４１ｂ、４２ｂと、スリット２１に対する一対の係合部４１、４２の挿入方向の先端側で一対の内側縁部１２ｂ、１２ｃの周方向の離間距離が小さくなるよう略Ｖ字形状に配置された第３ガイド面４１ｃ、４２ｃと、を有している。
【００３７】
このように、コルゲートチューブ拡開具１４は、コルゲートチューブ１２の一端部１２ａ側からコルゲートチューブ１２のスリット２１内に挿入され、スリット２１の両側の一対の内側縁部１２ｂ、１２ｃを周方向に略Ｖ字形に離間させつつ、係止爪部４４によってコルゲートチューブ１２に対し抜け止め係止されている。
【００３８】
次に、作用を説明する。
【００３９】
上述のように構成された本実施の形態のワイヤーハーネス１０においては、図２に示すように、コルゲートチューブ拡開具１４の一対の係合部４１、４２が、コルゲートチューブ１２の拡開領域Ｚａの一対の内側縁部１２ｂ、１２ｃを離間させるように、コルゲートチューブ１２の一端部１２ａ側からスリット２１内に挿入される。
【００４０】
なお、このコルゲートチューブ拡開具１４の装着前に、予めコネクタ部材１３の装着前のあるいは装着後の電線群１１が、コルゲートチューブ１２内に挿通されていてもよい。
【００４１】
コルゲートチューブ拡開具１４をコルゲートチューブ１２に挿入する際には、コルゲートチューブ拡開具１４の係止爪部４４をコルゲートチューブ１２に対しその径方向外方側に離間させるように、コルゲートチューブ拡開具１４を傾斜させ、一対の係合部４１、４２で形成される略Ｖ字形状の第３ガイド面４１ｃ、４２ｃの先端部分がスリット２１に容易に接近するようにする。
【００４２】
一対の係合部４１、４２の略Ｖ字形状の第３ガイド面４１ｃ、４２ｃがスリット２１内に入り込むと、スリット２１の両側の一対の内側縁部１２ｂ、１２ｃが周方向に略Ｖ字形に離間するように拡開される。
【００４３】
このとき、コルゲートチューブ拡開具１４は、一対の係合部４１、４２を介して一対の内側縁部１２ｂ、１２ｃに対して軸方向にスライド可能に案内された状態となり、先端側に傾斜面形状を有する係止爪部４４がコルゲートチューブ１２の外周の環状凸部１２ｐを乗り越えるときには撓み板部４３ａが半径方向の外方側に撓み、その撓み板部４３ａの弾性回復に伴って係止爪部４４が環状凹部１２ｑ内に落ち込む。
【００４４】
そして、コルゲートチューブ拡開具１４が所定の挿入深さまで挿入されて、カバー部４３の後端がコルゲートチューブ１２の端面１２ｄの近傍に達したとき、一対の係合部４１、４２の挿入深さを保持するよう、コルゲートチューブ１２の外周の環状凸部１２ｐおよび環状凹部１２ｑに対して係止爪部４４が軸方向一体に係止される。
【００４５】
このとき、コルゲートチューブ１２には、拡開された一対の内側縁部１２ｂ、１２ｃを閉じる方向の弾性回復力が生じ、コルゲートチューブ拡開具１４が抜け方向の反力を受けるが、係止爪部４４によりコルゲートチューブ１２に対して抜け止めされる。
【００４６】
したがって、コルゲートチューブ拡開具１４は、コルゲートチューブ１２の一端部１２ａを拡開させる治具としても使用でき、その拡開形状を保持するカバー部材としても機能できるものとなる。
【００４７】
その結果、コルゲートチューブ拡開具１４をカバー部材として装着することで、コネクタ部材１３への接続のために（あるいは他の配線条件から）コルゲートチューブ１２の一端部１２ａの近傍で電線群１１が径方向に大きくなる場合でも、電線群１１の他の部分（中央部等）の太さに応じた比較的小径のコルゲートチューブ１２を使用しながら、コルゲートチューブ１２の一端部１２ａの近傍における電線保護機能の低下を低コストに防止できるワイヤーハーネス１０が実現できる。よって、ワイヤーハーネス１０が、細いコルゲートチューブ１２を用いる低コストで配索作業性および車両搭載性に優れたものとなる。
【００４８】
加えて、スリット２１に対する挿入深さや拡開幅の異なる複数種のコルゲートチューブ拡開具１４を準備しておけば、同一径のコルゲートチューブ１２を用いながらも、ワイヤーハーネス１０の多様な変形にも対応可能となる。
【００４９】
また、本実施形態においては、一対の係合部４１、４２によってコルゲートチューブ１２の一端部１２ａを拡開させるコルゲートチューブ拡開具１４が、コルゲートチューブ１２の一端部１２ａの近傍における一対の内側縁部１２ｂ、１２ｃに対して軸方向に移動可能で、かつ、径方向には移動を規制される。したがって、カバー部４３に支持される係止爪部４４がコルゲートチューブ１２の外周の環状凸部１２ｐおよび環状凹部１２ｑに対して軸方向一体に係止されるとき、コルゲートチューブ拡開具１４がコルゲートチューブ１２に対して一体的に保持される状態で、拡開したスリット２１がコルゲートチューブ拡開具１４のカバー部４３によって外周側から閉塞されることとなる。よって、コルゲートチューブ拡開具１４のコルゲートチューブ１２への装着姿勢が安定保持可能となる。
【００５０】
さらに、本実施形態のワイヤーハーネス１０においては、上述のように、コルゲートチューブ拡開具１４がコルゲートチューブ１２に対して一端部１２ａ側から挿入され、係止爪部４４でコルゲートチューブ１２の環状凸部１２ｐおよび環状凹部１２ｑに対し軸方向一体に抜け止め係止されている。したがって、コルゲートチューブ拡開具１４をカバー部材として装着することで、コルゲートチューブ１２の一端部１２ａの近傍における電線保護機能の低下を低コストに防止することができるワイヤーハーネス１０となる。
【００５１】
このように、本実施形態においては、コルゲートチューブ１２の一端部１２ａを拡開させる治具としても、その拡開形状を保持可能なカバー部材としても機能し得るコルゲートチューブ拡開具１４を提供することができる。
【００５２】
併せて、本実施形態においては、コルゲートチューブ拡開具１４の装着によって、コルゲートチューブ１２の一端部１２ａの近傍における電線保護機能の低下を低コストに防止できるワイヤーハーネス１０を提供することができる。
【００５３】
なお、上述の一実施の形態では、係止爪部４４が入り込む環状凹部１２ｑが他の複数の環状凹部１２ｑと同一形状であるものとしたが、係止爪部４４を落ち込ませる部分だけ環状溝状の環状凹部１２ｑの溝幅や溝深さが大きくなっていてもよい。係止爪部４４の先端部の爪形状が尖ったものに限定されないことはいうまでもない。また、コルゲートチューブ拡開具１４を装着専用とし、絶縁テープ等によって固定するような場合には、係止爪部４４に加えて、あるいは係止爪部４４に代えて、径方向外側に突起するテープ固定用の突起部を設けてもよい。さらに、コルゲートチューブ拡開具１４のカバー部４３は、コルゲートチューブ１２の外周面に沿う湾曲面形状を有するものとして図示したが、撓み板部４３ａが、あるいはカバー部４３全体が、平坦であってもよい。
【００５４】
また、一対の係合部４１、４２を連結するカバー部４３は、コルゲートチューブ１２の外側に配置されるものとしていたが、径方向において一対の係合部４１、４２と同一の位置に、あるいは、コルゲートチューブ１２の内側に配置してもよいし、係止爪部４４がコルゲートチューブ１２の内側に配置されることも考えられる。
【００５５】
また、上述の一実施の形態では、特に言及しなかったが、コルゲートチューブが特許文献１あるいは特開２０１０−２００５４９号公報に記載のようにスリット近傍のロック部を有する構成である場合、係止爪部４４が落ち込み嵌合する環状凹部１２ｑと一対の係合部４１、４２に係合する一対の内側縁部１２ｂ、１２ｃとの間で、ロック部を部分的に切除したり切断したりしてスリットの周方向への拡開を容易化するようにしてもよい。
【００５６】
さらに、上述の一実施の形態では、コルゲートチューブ拡開具１４の一対の係合部４１、４２が略Ｖ字形をなしていたが、一対の係合部４１、４２を軸方向に離間する複数の係合部に分割してもよい。また、カバー部４３が略三角形状をなしていたが、カバー部４３は、略長方形でもよいし、先端部が矢先形や半円形に幅が細くなる略長方形や台形等、任意の形状に設定できることはいうまでもない。
【００５７】
また、上述の一実施の形態では、コルゲートチューブ拡開具１４をワイヤーハーネス１０に外装されるコルゲートチューブ１２に一体的に装着するものとしたが、コルゲートチューブ１２内への電線の挿入を容易ならしめるための治具として、コルゲートチューブ拡開具１４を用いることができることはいうまでもない。
【００５８】
以上説明したように、本発明は、コルゲートチューブの端部を拡開させる治具としてもその拡開形状を保持可能なカバー部材としても機能し得るコルゲートチューブ拡開具を提供し、併せて、そのコルゲートチューブ拡開具を装着することでコルゲートチューブの端部近傍における電線保護機能の低下を低コストに防止できるワイヤーハーネスを提供することができるものである。かかる本発明は、樹脂製のコルゲートチューブのスリット部に係合してコルゲートチューブを部分的に拡開させるコルゲートチューブ拡開具およびそれを装着したおよびワイヤーハーネス全般に有用である。
【符号の説明】
【００５９】
１０  ワイヤーハーネス
１１  電線群
１１ａ  一端部
１１ｅ  絶縁被覆電線（複数の電線）
１２  コルゲートチューブ
１２ａ  一端部
１２ｂ、１２ｃ  内側縁部
１２ｄ  端面
１２ｅ  外周壁面
１２ｐ  環状凸部
１２ｑ  環状凹部
１３  コネクタ部材
１４  コルゲートチューブ拡開具
２１  スリット
４１、４２  係合部
４１ａ、４２ａ  第１ガイド面
４１ｂ、４２ｂ  第２ガイド面
４１ｃ、４２ｃ  第３ガイド面
４３  カバー部
４３ａ  撓み板部
４４  係止爪部
【図１】
2016144363.tif 000003
【図２】
2016144363.tif 000004
【図３】
2016144363.tif 000005
【図４】
2016144363.tif 000006
【図５】
2016144363.tif 000007